(57)【要約】【課題】電力利用状況の悪化を低減させることができるエレベータ監視システムを得る。【解決手段】エレベータ１と、エレベータ１の運転モードを通常モードと省エネルギーモードとの間で切り換える遠隔監視装置３と、電力利用状況逼迫情報発信装置８から発信される電力利用状況逼迫情報を受信することにより、省エネルギー運転指令を遠隔監視装置３に送信する情報センタ５とを備え、遠隔監視装置３は、情報センタ５から省エネルギー運転指令を受信することにより、エレベータ１の運転モードを通常モードから省エネルギーモードに切り換える。【選択図】図１
2013159426.tif 000002
【特許請求の範囲】
【請求項１】
エレベータと、
前記エレベータの運転モードを通常モードと省エネルギーモードとの間で切り換える遠隔監視装置と、
外部から発信される電力利用状況逼迫情報を受信することにより、省エネルギー運転指令を前記遠隔監視装置に送信する情報センタと
を備え、
前記遠隔監視装置は、前記情報センタから前記省エネルギー運転指令を受信することにより、前記エレベータの前記運転モードを前記通常モードから前記省エネルギーモードに切り換えることを特徴とするエレベータ監視システム。
【請求項２】
前記エレベータの前記運転モードを前記省エネルギーモードにする時間帯を示す省エネルギーモードスケジュールを前記情報センタに設定するエンドユーザ用端末装置をさらに備え、
前記情報センタは、設定された前記省エネルギーモードスケジュールを前記遠隔監視装置に送信し、
前記遠隔監視装置は、前記情報センタから受信した前記省エネルギーモードスケジュールに基づいて、前記エレベータの前記運転モードを前記通常モードと前記省エネルギーモードとの間で切り換えることを特徴とする請求項１に記載のエレベータ監視システム。
【請求項３】
遠隔監視装置がエレベータの運転モードを通常モードと省エネルギーモードとの間で切り換えるエレベータ監視方法であって、
情報センタが外部から発信される電力利用状況逼迫情報を受信する電力利用状況逼迫情報受信工程と、
前記電力利用状況逼迫情報受信工程の後、前記情報センタが省エネルギー運転指令を前記遠隔監視装置に送信する省エネルギー運転指令送信工程と、
前記省エネルギー運転指令送信工程の後、前記遠隔監視装置が前記エレベータの前記運転モードを前記通常モードから前記省エネルギーモードに切り換える省エネルギーモード切換工程と
を備えたことを特徴とするエレベータ監視方法。
【発明の詳細な説明】
【技術分野】
【０００１】
この発明は、エレベータの運転モードを通常モードと省エネルギーモードとの間で切り換えるエレベータ監視システムおよびエレベータ監視方法に関する。
【背景技術】
【０００２】
従来、エレベータの乗客重量に基づいて、エレベータの運転モードを通常モードと省エネルギーモードとの間で切り換えるエレベータ監視システムが知られている（例えば、特許文献１参照）。
【先行技術文献】
【特許文献】
【０００３】
【特許文献１】特開２００７−２５４０６９号公報
【発明の概要】
【発明が解決しようとする課題】
【０００４】
しかしながら、電力会社が供給する電力の利用状況が逼迫する場合であっても、エレベータの乗客重量が、運転モードが通常モードとなる重量である場合には、エレベータの運転モードが通常モードのままとなる。その結果、電力利用状況の悪化を低減させることができないという問題点があった。
【０００５】
この発明は、電力利用状況の悪化を低減させることができるエレベータ監視システムおよびエレベータ監視方法を提供するものである。
【課題を解決するための手段】
【０００６】
この発明に係るエレベータ監視システムは、エレベータと、前記エレベータの運転モードを通常モードと省エネルギーモードとの間で切り換える遠隔監視装置と、外部から発信される電力利用状況逼迫情報を受信することにより、省エネルギー運転指令を前記遠隔監視装置に送信する情報センタとを備え、前記遠隔監視装置は、前記情報センタから前記省エネルギー運転指令を受信することにより、前記エレベータの前記運転モードを前記通常モードから前記省エネルギーモードに切り換える。
【０００７】
この発明に係るエレベータ監視方法は、遠隔監視装置がエレベータの運転モードを通常モードと省エネルギーモードとの間で切り換えるエレベータ監視方法であって、情報センタが外部から発信される電力利用状況逼迫情報を受信する電力利用状況逼迫情報受信工程と、前記電力利用状況逼迫情報受信工程の後、前記情報センタが省エネルギー運転指令を前記遠隔監視装置に送信する省エネルギー運転指令送信工程と、前記省エネルギー運転指令送信工程の後、前記遠隔監視装置が前記エレベータの前記運転モードを前記通常モードから前記省エネルギーモードに切り換える省エネルギーモード切換工程とを備えている。
【発明の効果】
【０００８】
この発明に係るエレベータ監視システムによれば、エレベータと、エレベータの運転モードを通常モードと省エネルギーモードとの間で切り換える遠隔監視装置と、外部から発信される電力利用状況逼迫情報を受信することにより、省エネルギー運転指令を遠隔監視装置に送信する情報センタとを備え、遠隔監視装置は、情報センタから省エネルギー運転指令を受信することにより、エレベータの運転モードを通常モードから省エネルギーモードに切り換えるので、外部から電力利用状況逼迫情報が発信されることにより、エレベータの運転モードを通常モードから省エネルギーモードに切り換えることができる。その結果、電力利用状況の悪化を低減させることができる。
【０００９】
この発明に係るエレベータ監視方法によれば、情報センタが外部から発信される電力利用状況逼迫情報を受信する電力利用状況逼迫情報受信工程と、電力利用状況逼迫情報受信工程の後、情報センタが省エネルギー運転指令を遠隔監視装置に送信する省エネルギー運転指令送信工程と、省エネルギー運転指令送信工程の後、遠隔監視装置がエレベータの運転モードを通常モードから省エネルギーモードに切り換える省エネルギーモード切換工程とを備えているので、外部から電力利用状況逼迫情報が発信されることにより、エレベータの運転モードを通常モードから省エネルギーモードに切り換えることができる。その結果、電力利用状況の悪化を低減させることができる。
【図面の簡単な説明】
【００１０】
【図１】この発明の実施の形態１に係るエレベータ監視システムを示す構成図である。
【図２】図１の情報センタが電力利用状況逼迫情報を受信する場合のエレベータ監視システムの動作を示すフローチャートである。
【図３】図１の情報センタに省エネルギーモードスケジュールが設定される場合のエレベータ監視システムの動作を示すフローチャートである。
【発明を実施するための形態】
【００１１】
実施の形態１．
図１はこの発明の実施の形態１に係るエレベータ監視システムを示す構成図である。図において、エレベータ監視システムは、ビルに設置されるエレベータ１と、エレベータ１との間で専用信号線２を経由して通信を行う遠隔監視装置３と、遠隔監視装置３との間で電話回線４を経由して通信を行う情報センタ５と、情報センタ５との間でインターネット６を経由して通信を行うエンドユーザ用端末装置７と、電力利用状況逼迫情報を発信する電力利用状況逼迫情報発信装置（外部）８とを備えている。電力利用状況逼迫情報発信装置８は、例えば、電力会社や自治体等に設置される。図１では、１つのエレベータ１を示しているが、複数台のエレベータ１がビルに設置されている。また、図１では、１つの遠隔監視装置３を示しているが、複数の遠隔監視装置３が電話回線４を経由して情報センタ５との間で通信が可能となっている。
【００１２】
エレベータ１は、運転モードを通常モードとこの通常モードよりも消費電力が少ない省エネルギーモードとに切り換えることができるようになっている。省エネルギーモードとは、例えば、かごの走行速度を低下させたり、複数台あるかごのうち、一部のかごの運転を停止させたり、かごに設置される照明装置の一部を消灯させたりするエレベータ１の運転モードである。つまり、エレベータ１の運転モードが省エネルギーモードである場合には、エレベータ１の運転モードが通常モードである場合と比較して、エレベータ１が消費する電力が低下する。
【００１３】
遠隔監視装置３は、エレベータ１の運転モードを通常モードと省エネルギーモードとの間で切り換える。遠隔監視装置３は、省エネルギー運転指令を受信することにより、所定時間だけ、エレベータ１の運転モードを通常モードから省エネルギーモードに切り換える。省エネルギー運転指令とは、エレベータ１の運転モードを通常モードから省エネルギーモードに切り換えるための指令である。エレベータ１の運転モードを通常モードから省エネルギーモードに切り換える所定時間としては、この例では、２時間が設定されている。なお、この所定時間は、２時間に限らず、任意の時間を設定することができる。
【００１４】
また、遠隔監視装置３は、省エネルギーモードスケジュールを受信すると、省エネルギーモードスケジュールに基づいて、エレベータ１の運転モードを通常モードと省エネルギーモードとの間で切り換える。省エネルギーモードスケジュールとは、エレベータ１の運転モードを省エネルギーモードにする時間帯を示す情報である。
【００１５】
また、遠隔監視装置３は、省エネルギーモードスケジュールに基づいてエレベータ１の運転モードを通常モードとしている場合であって、省エネルギー運転指令を受信した場合には、エレベータ１の運転モードを通常モードから省エネルギーモードに切り換える。
【００１６】
情報センタ５は、電力利用状況逼迫情報発信装置８から発信される電力利用状況逼迫情報を受信するようになっている。電力利用状況逼迫情報とは、電力会社が供給する電力の利用状況が逼迫する場合に、電力会社や自治体等により発信される電力利用状況が逼迫する旨の情報である。情報センタ５は、電力利用状況逼迫情報を受信することにより、省エネルギー運転指令を遠隔監視装置３に送信する。また、情報センタ５は、エレベータ１の運転モードを省エネルギー運転モードにする省エネルギー運転スケジュールが設定されるようになっている。情報センタ５は、省エネルギー運転スケジュールが設定されることにより、設定された省エネルギー運転スケジュールを遠隔監視装置３に送信する。
【００１７】
エンドユーザ用端末装置７は、エンドユーザに操作されることにより、省エネルギー運転スケジュールを情報センタ５に設定する。
【００１８】
情報センタ５は、電力利用状況逼迫情報を受信することにより省エネルギー運転指令を遠隔監視装置３に送信した場合に、エレベータ１の運転モードを通常モードから省エネルギーモードに切り換えたことを示す省エネルギー運転指令情報をエンドユーザ用端末装置７に送信する。エンドユーザ用端末装置７は、省エネルギー運転指令情報を受信することにより、電力利用状況逼迫情報によりエレベータ１の運転モードが通常モードから省エネルギーモードに切り換えられたことをディスプレイ（図示せず）に表示する。これにより、エンドユーザ用端末装置７を操作するエンドユーザに対して、電力利用状況逼迫情報によりエレベータ１の運転モードを通常モードから省エネルギーモードに切り換えたことを報知することができる。
【００１９】
次に、情報センタ５が電力利用状況逼迫情報を受信する場合のエレベータ監視システムの動作について説明する。図２は図１の情報センタ５が電力利用状況逼迫情報を受信する場合のエレベータ監視システムの動作を示すフローチャートである。まず、情報センタ５は、電力利用状況逼迫情報を受信したか否かを判定する（ステップＳ１０１）。ステップＳ１０１で、電力利用状況逼迫情報を受信していないと情報センタ５が判定すると、エレベータ監視システムの動作が終了する。
【００２０】
一方、ステップＳ１０１で、電力利用状況逼迫情報を受信（電力利用状況逼迫情報受信工程）したと情報センタ５が判定すると、情報センタ５は、省エネルギー運転指令を遠隔監視装置３に送信する（省エネルギー運転指令送信工程）（ステップＳ１０２）。
【００２１】
その後、遠隔監視装置３は、エレベータ１の運転モードを通常モードから省エネルギーモードに切り換える（省エネルギーモード切換工程）（ステップＳ１０３）。
【００２２】
その後、遠隔監視装置３は、エレベータ１の運転モードを通常モードから省エネルギーモードに切り換えた時から所定時間が経過したか否かを判定する（ステップＳ１０４）。ステップＳ１０４で、所定時間が経過していないと遠隔監視装置３が判定すると、ステップＳ１０４が繰り返される。
【００２３】
一方、ステップＳ１０４で、所定時間が経過したと遠隔監視装置３が判定すると、遠隔監視装置３は、エレベータ１の運転モードを省エネルギーモードから通常モードに切り換え（通常モード切換工程）（ステップＳ１０５）、その後、エレベータ監視システムの動作が終了する。
【００２４】
次に、情報センタ５に省エネルギーモードスケジュールが設定される場合のエレベータ監視システムの動作について説明する。図３は図１の情報センタ５に省エネルギーモードスケジュールが設定される場合のエレベータ監視システムの動作を示すフローチャートである。まず、情報センタ５は、省エネルギーモードスケジュールが設定されたか否かを判定する（ステップＳ２０１）。ステップＳ２０１で、省エネルギーモードスケジュールが設定されていないと情報センタ５が判定すると、エレベータ監視システムの動作が終了する。
【００２５】
一方、ステップＳ２０１で、省エネルギーモードスケジュールが設定されたと情報センタ５が判定すると、情報センタ５は、省エネルギーモードスケジュールを遠隔監視装置３に送信する（省エネルギーモードスケジュール送信工程）（ステップＳ２０２）。
【００２６】
その後、遠隔監視装置３は、省エネルギーモードスケジュールに基づいて、現在時刻が省エネルギーモードの時間帯であるか否かを判定する（省エネルギーモード判定工程）（ステップＳ２０３）。ステップＳ２０３で、現在時刻が省エネルギーモードの時間帯ではないと遠隔監視装置３が判定すると、ステップＳ２０３が繰り返される。
【００２７】
一方、ステップＳ２０３で、現在時刻が省エネルギーモードの時間帯であると遠隔監視装置３が判定すると、遠隔監視装置３は、エレベータ１の運転モードを通常モードから省エネルギーモードに切り換える（省エネルギーモード切換工程）（ステップＳ２０４）。
【００２８】
その後、遠隔監視装置３は、省エネルギーモードスケジュールに基づいて、現在時刻が通常モードの時間帯であるか否かを判定する（通常モード判定工程）（ステップＳ２０５）。ステップＳ２０５で、現在時刻が通常モードの時間帯ではないと遠隔監視装置３が判定すると、ステップＳ２０５が繰り返される。
【００２９】
一方、ステップＳ２０５で、現在時刻が通常モードの時間帯であると遠隔監視装置３が判定すると、遠隔監視装置３は、エレベータ１の運転モードを省エネルギーモードから通常モードに切り換え（通常モード切換工程）（ステップＳ２０６）、その後、エレベータ監視システムの動作が終了する。
【００３０】
以上説明したように、この発明の実施の形態１に係るエレベータ監視システムによれば、エレベータ１と、エレベータ１の運転モードを通常モードと省エネルギーモードとの間で切り換える遠隔監視装置３と、電力利用状況逼迫情報発信装置８から発信される電力利用状況逼迫情報を受信することにより、省エネルギー運転指令を遠隔監視装置３に送信する情報センタ５とを備え、遠隔監視装置３は、情報センタ５から省エネルギー運転指令を受信することにより、エレベータ１の運転モードを通常モードから省エネルギーモードに切り換えるので、電力利用状況逼迫情報発信装置８から電力利用状況逼迫情報が発信されることにより、エレベータ１の運転モードを通常モードから省エネルギーモードに切り換えることができる。その結果、電力利用状況の悪化を低減させることができる。
【００３１】
また、このエレベータ監視システムは、エレベータ１の運転モードを省エネルギーモードにする時間帯を示す省エネルギーモードスケジュールを情報センタ５に設定するエンドユーザ用端末装置７を備え、情報センタ５は、設定された省エネルギーモードスケジュールを遠隔監視装置３に送信し、遠隔監視装置３は、情報センタ５から受信した省エネルギーモードスケジュールに基づいて、エレベータ１の運転モードを通常モードと省エネルギーモードとの間で切り換えるので、エンドユーザ用端末装置７を操作するエンドユーザは、エレベータ１の運転モードを通常モードと省エネルギーモードとの間で自由に切り換えることができる。
【００３２】
この発明に係るエレベータ監視方法によれば、情報センタ５が電力利用状況逼迫情報発信装置８から発信される電力利用状況逼迫情報を受信する電力利用状況逼迫情報受信工程と、電力利用状況逼迫情報受信工程の後、情報センタ５が省エネルギー運転指令を遠隔監視装置３に送信する省エネルギー運転指令送信工程と、省エネルギー運転指令送信工程の後、遠隔監視装置３がエレベータ１の運転モードを通常モードから省エネルギーモードに切り換える省エネルギーモード切換工程とを備えているので、電力利用状況逼迫情報発信装置８から電力利用状況逼迫情報が発信されることにより、エレベータ１の運転モードを通常モードから省エネルギーモードに切り換えることができる。その結果、電力利用状況の悪化を低減させることができる。
【００３３】
なお、上記実施の形態１では、情報センタ５が電話回線４を経由して遠隔監視装置３との間で通信が可能な構成について説明したが、情報センタ５がインターネット６を経由して遠隔監視装置３との間で通信が可能な構成であってもよい。
【符号の説明】
【００３４】
１  エレベータ、２  専用信号線、３  遠隔監視装置、４  電話回線、５  情報センタ、６  インターネット、７  エンドユーザ用端末装置、８  電力利用状況逼迫情報発信装置（外部）。
【図１】
2013159426.tif 000003
【図２】
2013159426.tif 000004
【図３】
2013159426.tif 000005